(57)【要約】【課題】止め金の先端にラッチ錠を簡単に後付けする。【解決手段】このラッチユニットＬは、ラッチ２がラッチガイドケース１内にスライド可能に組み込まれ、ラッチ２とラッチガイドケース１との間にばね部材３が介装されて、ラッチ２の先端部２１がラッチガイドケース１の前端側の開口１１から出没可能になっており、止め金４の先端側の長さを調整し、また、選択的に止め金４の先端側の奥行き方向の位置を止め金４の先端側の曲げ加工により調整し、その調整後の止め金４の先端にラッチガイドケース１を取り付けて、止め金４の先端延長上にラッチ２を出没可能に配置する。【選択図】図１
2018193829.tif 000002
【特許請求の範囲】
【請求項１】
ハンドルレバーの回転操作により扉側の止め金をボックス本体などの固定枠体側の受け金に対して係脱する平面ハンドル、Ｌ型ハンドルを含む止め金式の各種ハンドルに使用する止め金用ラッチユニットであって、
各種ハンドルの止め金の受け金に対する係脱端となる先端側を挿通して前記止め金の先端側に取付可能に前後両端に開口を有する略筒形形状に形成され、前記止め金の扉側に向けられる一方の側面に対応する前記略筒形形状の一方の側面部を前記止め金の取付部とするラッチガイドケースと、
先端部を固定枠体側の受け金に当接可能な略三角柱形状にして前記ラッチガイドケース内に嵌合可能に形成され、前記先端部が前記ラッチガイドケースの前端側の開口から出没可能に前記ラッチガイドケース内にスライド可能に配置されるラッチと、
前記ラッチガイドケースと前記ラッチとの間に介設され、前記ラッチを常態として前記ラッチガイドケースの前記前端側の開口方向に押圧付勢して前記ラッチの先端部を前記ラッチガイドケースの前記前端側の開口から突出させるばね部材と、
を備え、
前記止め金の先端側の長さを調整し、また、選択的に前記止め金の先端側の奥行き方向の位置を前記止め金の先端側の曲げ加工により調整し、当該調整後の前記止め金の先端に前記ラッチガイドケースを取り付けて、前記止め金の前記調整後の先端延長上に前記ラッチを出没可能に配置する、
ことを特徴とする止め金用ラッチユニット。
【請求項２】
ラッチガイドケースの上面部及び下面部に前記ラッチガイドケースの前後方向に延びる一対のガイド孔又はガイド溝を有し、ラッチの上面及び下面に上下方向に突出する一対のガイドピンを有し、前記ラッチガイドケース内に前記ラッチは前記各ガイド孔又は前記各ガイド溝と前記各ガイドピンが係合されて嵌合配置される請求項１に記載の止め金用ラッチユニット。
【請求項３】
ラッチガイドケースの後端側の開口にばね受けを有し、ラッチの後端面にばね受けを有し、前記ラッチガイドケースの前記ばね受けと前記ラッチの前記ばね受けとの間にばね部材としてコイルスプリングが介装される請求項１又は２に記載の止め金用ラッチユニット。
【請求項４】
ラッチガイドケースの一方の側面部にねじ挿通部を有し、ラッチの前記ラッチガイドケースの前記一方の側面部に対向する面に凹部を有し、止め金の先端に前記ラッチガイドケースのねじ挿通部に対応してねじ孔を穿設されて、前記止め金の先端は前記ラッチガイドケース内に挿入され、前記ラッチの凹部の後方延長上の位置で、前記ラッチガイドケースのねじ挿通部と前記止め金のねじ孔とを合せ、前記ラッチガイドケースのねじ挿通部から取付ねじを通し前記止め金のねじ孔に締結されて取り付けられる請求項１乃至３のいずれかに記載の止め金用ラッチユニット。
【請求項５】
ラッチガイドケースの一方の側面部に対して反対側の他方の側面部に前後方向に向けて延びるガイド孔を有し、前記ガイド孔を通じてラッチに操作つまみを備える請求項１乃至４のいずれかに記載の止め金用ラッチユニット。
【請求項６】
ハンドルレバーの回転操作により扉側の止め金をボックス本体などの固定枠体側の受け金に対して係脱する平面ハンドル、Ｌ型ハンドルを含む止め金式の各種ハンドルであって、
前記止め金の受け金に対する係脱端となる先端に請求項１乃至５のいずれかに記載の止め金用ラッチユニットを備える、
ことを特徴とする各種ハンドル。
【発明の詳細な説明】
【技術分野】
【０００１】
本発明は、配電盤や制御盤などの機器格納用キャビネットの扉などに用いられる平面ハンドルやＬ型ハンドルなどの止め金式の各種ハンドルに使用する止め金用ラッチユニット、及びこれを備える止め金式の各種ハンドルに関する。
【背景技術】
【０００２】
従来より、配電盤や制御盤などの機器格納用キャビネットの扉などに用いられるハンドルとして平面ハンドルやＬ型ハンドルなどが知られている。
【０００３】
この種の平面ハンドルが、例えば、特許文献１により提案されている。
この文献１の平面ハンドルは、図９に示すように、扉パネルに固着されるハンドルベース５１と、ハンドルベース５１に回転可能に挿通されるハンドル軸に回動軸を介してハンドルベース５１に対して起伏回動可能に装着されるハンドルレバー５２と、ハンドルベース５１の背面側にハンドル軸を介して回転可能に取り付けられ、ハンドルレバー５２の回転操作によりボックス本体などの固定枠体側の受け金に対して係脱可能な止め金４とを備え、扉パネルの開閉時にハンドルレバー５２をハンドルベース５１から引き起こして回転操作することにより止め金４を受け金に対して係脱し、扉パネルを閉めた後はハンドルレバー５２をハンドルベース５１上に倒伏して収納する形式になっている。
この平面ハンドルはまた、ハンドルレバー５２にハンドルベース５１の受け部に係脱可能な錠止部材を有する錠前ユニット５３が組み込まれて、錠前ユニット５３のキー穴５３０がハンドルレバー５２に形成された開口に臨むようになっており、ハンドルベース５１上にハンドルレバー５２が収納された状態で、キーをキー穴５３０に挿入し所定の施錠方向に回転操作することにより、ハンドルレバー５２側の錠前ユニット５３の錠止部材とハンドルベース５１側の受け部が係合してハンドルレバー５２が施錠され、キーを所定の解錠方向に回転操作することにより、錠前ユニット５３の錠止部材と受け部との係合が解除されてハンドルレバー５２が解錠されるようになっている。
【０００４】
また、この種の平面ハンドルには、扉を閉鎖施錠した後、ハンドルレバーをハンドルベースに倒伏する、つまり押し戻す動作によって、ハンドルレバーをハンドルベースに錠前ユニットにより自動的にロックする所謂オートロック機能を有するものがあり、これが、例えば、特許文献２により提案されている。
ここでは特に図示しないが、この文献２の平面ハンドルでは、ハンドルレバーの下端部の錠前埋設部の後端部に直交させてガイド溝孔が上下方向に形成されて、このガイド溝孔に錠止部材が上下方向に摺動可能に挿入される。この錠止部材は上端部にハンドルベースの背面壁部のロック溝部に係脱可能なロック爪部を有し、下端部に錠止部材の押上げ付勢用バネ部材のバネ支持部を有し、錠止部材の中間部に矩形状のカム従動孔を有している。このようにしてハンドルレバー下端部の錠前埋設部に錠前ユニットが埋設固定され、この錠前ユニットのロータの後端部に回転中心より偏心して形成された駆動カム突起が錠止部材のカム従動孔に挿入される。そして、カム従動孔の縦寸法と横寸法のいずれもが駆動カム突起の直径より大きく形成され、ハンドルベースの背面壁部に錠止部材のロック爪部の背面部と摺接するカム斜面部がロック溝部の前側位置に形成される。かくして、ロータの鍵孔に挿入した鍵でロータを回転させることによって、カム従動孔の下辺部を駆動カム突起の側面部で押すことによって、錠止部材をガイド溝孔に後退させ、錠止部材のロック爪部をハンドルベースのロック溝部から離脱させる一方、鍵によるロータの回転を止めたとき、バネ部材の押上げ付勢によって、カム従動孔の縦寸法と駆動カム突起の直径との寸法差分だけ、錠止部材のロック爪部がガイド溝孔から突出するようになっており、ハンドルレバーをハンドルベースに押し戻すときに、ロック爪部の背面部がハンドルベース側のカム斜面部に押されることによって、バネ部材の押上げ付勢に抗して、錠止部材がガイド溝孔に押し込まれようになっている。
【０００５】
さらに、この種の平面ハンドルには、ハンドルレバー又はハンドルベースに、錠前ユニットの錠止部材に作動連結され、鍵の回転操作に連動して、ハンドルレバーが錠前ユニットにより錠止された場合のハンドルレバーのロック状態と、ハンドルレバーの錠前ユニットによる錠止が解除された場合のハンドルレバーのアンロック状態とを切り替え表示するインジケータを備え、ハンドルレバーが錠前ユニットにより錠止されているか又は（錠止が）解除されているかが瞬時に分かり、扉の開閉に際して利便性の向上を図ったものがあり、これが特許文献３により提案されている。
ここでも特に図示しないが、この文献３の平面ハンドルでは、インジケータは、ハンドル又はケースに錠前ユニットの鍵穴に近接して開口され、ハンドルレバーのロック状態又はアンロック状態を表示するための表示窓と、一端がハンドルベース側又はハンドルレバー側の受け部と錠止部材との間に介在される係合部をなし、他端にハンドルレバーのロック状態を表すロック状態表示部及びハンドルレバーのアンロック状態を表すアンロック状態表示部を有する表示部材を有し、ハンドルベース側又はハンドルレバー側の受け部と表示窓と間に錠止部材の係脱方向に揺動可能に枢支される作動部材と、作動部材の一端を常態においてハンドルベース側又はハンドルレバー側の受け部とは反対方向に付勢するばね手段とを有する。かかる構成により、錠前ユニットの鍵穴に挿入した鍵の回転操作により、錠止部材を作動部材一端の係合部に係合させてこの係合部とハンドルベース側又はハンドルレバー側の受け部とを係合させるとともに、他端において表示部材のロック状態表示部を表示窓に臨ませ、この鍵の反対方向の回転操作により、錠止部材と作動部材一端の係合部との係合を解除してこの一端の係合部をハンドルベース側又はハンドルレバー側の受け部から離脱させるとともに、他端において表示部材のアンロック状態表示部を表示窓に臨ませるようになっている。
【０００６】
また、この種のＬ型ハンドルが、例えば、特許文献４により提案されている。
この文献４のＬ型ハンドルは、図１０に示すように、内部に軸孔を有し、扉の正面、背面間に貫通装着されるハンドル受座と、ハンドル受座の軸孔に回動可能に嵌挿され、扉の背面側となる先端部側に止め金４を取り付けられる操作軸、及び操作軸の扉の正面側となる基端部側から扉の正面に沿って延びるグリップからなるハンドルレバー６１と、操作軸の正面となる基端面に開口されて操作軸の基端部側に形成される受孔に、開口に鍵孔６３０を表出して装着される錠前ユニット６３、及び錠前ユニット６３の背後に作動連結されて、受孔の周壁部に形成される透孔を通してハンドル受座の軸孔の内周面に形成されるロック孔に挿脱可能に配置されるロック部材とを備えて構成される。
このようにして錠前ユニット６３に鍵を挿入して所定のロック方向に回転操作することにより、錠前ユニット６３に作動連結されたロック部材がロック孔に挿入されてハンドルレバー６１をロックし、鍵を所定のロック解除方向に回転操作することにより、錠前ユニット６３に作動連結されたロック部材がロック孔から離脱されてハンドルレバーのロックを解除するようになっている。
また、このＬ型ハンドルは、ハンドルレバー６１にこのハンドルレバー６１のロック状態又はロック解除状態を切り替え表示するインジケータ６４を備えている。
この場合、インジケータ６４は、ハンドルレバー６１において錠前ユニット６３の周囲所定の位置に開口される表示窓と、ロック部材から受孔の周壁部に形成される連絡孔を通して表示窓に向けて延び、ロック部材がロック孔に挿入又は離脱されるときのロック部材の挿入又は離脱方向の動作に連動して駆動される作動レバー、及び作動レバーの先端に形成されて作動レバーの駆動により表示窓に沿って移動可能に配置され、ロック部材がロック孔に挿入されたときに表示窓に移動して対向される位置にハンドルレバー６１のロック状態を表示するためのロック状態表示部材を有し、ロック部材がロック孔から離脱されたときに表示窓に移動して対向される位置にハンドルレバー６１のロック解除状態を表示するためのロック解除状態表示部材を有する表示部とを備える。
このようにして錠前ユニット６３を鍵により所定のロック方向に回転操作することにより、ハンドルレバー６１をロック部材によりロックするとともに、インジケータ６４にロック状態表示部材を表示してハンドルレバー６１のロック状態を案内し、錠前ユニット６３を鍵により所定のロック解除方向に回転操作することにより、ハンドルレバー６１のロック部材によるロックを解除するとともに、インジケータ６４にロック解除状態表示部材を表示してハンドルレバー６１のロック解除状態を案内するようになっている。
【先行技術文献】
【特許文献】
【０００７】
【特許文献１】特開２０１４−２３４６５１号公報
【特許文献２】特開２０１１−  ３８２８０号公報
【特許文献３】特開２０１１−  ９４３６４号公報
【特許文献４】特願２０１５−２４７１２８号公報
【発明の概要】
【発明が解決しようとする課題】
【０００８】
これらの平面ハンドルやＬ型ハンドルは、多くの場合、止め金式になっており、既述のとおり、ハンドルレバー５２、６１の回転操作により扉側の止め金４を回転させてボックス本体などの固定枠体側の受け金に対して係脱するので、操作性に優れているが、扉の開閉の都度、ハンドルレバー５２、６１を回転操作する必要があり、例えばラッチ錠のように、閉扉の際に、扉を押すと、ラッチがボックス本体側の固定枠体に当たってラッチケース内に没入し、扉が完全に閉まると、ラッチがラッチケースから突出して固定枠体側の受け部に自動的に係合するといったことにはならない。このため、止め金式のハンドルの場合、扉を閉めるときに、扉が完全に閉め切らないうちに（扉を閉めたと思い違いをして）ハンドルレバーを閉める方向に回してしまい、さらにこの状態から、施錠ユニットを施錠する場合がある。扉が完全には閉まっていないから、施錠ユニットを施錠しても、扉の施錠にはならない。また、この場合、錠前ユニットにオートロック機能が付いていても、錠前ユニットそのものは自動的に施錠状態となるが、扉は施錠されない。さらに、この場合、ハンドルにインジケータが付いていても、インジケータに錠前ユニットの施錠状態が表示されるが、扉は施錠されていない。このように扉それ自体の閉め忘れには、各種のハンドルに装備された錠前ユニット、及びそのオートロック機能やインジケータも、その本来の機能を発揮することができない。
【０００９】
本発明は、このような従来の問題を解決するもので、この種の止め金式ハンドルにおいて、ユーザーのニーズに応じて、止め金の先端（止め金の受け金に対する係脱端）にラッチ錠を簡単に後付けすることのできる止め金用ラッチユニット、及びこれを備える止め金式の各種ハンドルを提供すること、を目的とする。
【課題を解決するための手段】
【００１０】
上記目的を達成するために、本発明は、
ハンドルレバーの回転操作により扉側の止め金をボックス本体などの固定枠体側の受け金に対して係脱する平面ハンドル、Ｌ型ハンドルを含む止め金式の各種ハンドルに使用する止め金用ラッチユニットであって、
各種ハンドルの止め金の受け金に対する係脱端となる先端側を挿通して前記止め金の先端側に取付可能に前後両端に開口を有する略筒形形状に形成され、前記止め金の扉側に向けられる一方の側面に対応する前記略筒形形状の一方の側面部を前記止め金の取付部とするラッチガイドケースと、
先端部を固定枠体側の受け金に当接可能な略三角柱形状にして前記ラッチガイドケース内に嵌合可能に形成され、前記先端部が前記ラッチガイドケースの前端側の開口から出没可能に前記ラッチガイドケース内にスライド可能に配置されるラッチと、
前記ラッチガイドケースと前記ラッチとの間に介設され、前記ラッチを常態として前記ラッチガイドケースの前記前端側の開口方向に押圧付勢して前記ラッチの先端部を前記ラッチガイドケースの前記前端側の開口から突出させるばね部材と、
を備え、
前記止め金の先端側の長さを調整し、また、選択的に前記止め金の先端側の奥行き方向の位置を前記止め金の先端側の曲げ加工により調整し、当該調整後の前記止め金の先端に前記ラッチガイドケースを取り付けて、前記止め金の前記調整後の先端延長上に前記ラッチを出没可能に配置する、
ことを要旨とする。
【００１１】
また、この止め金用ラッチユニットは、各部について次のような構成を有することが好ましい。
（１）ラッチガイドケースの上面部及び下面部に前記ラッチガイドケースの前後方向に延びる一対のガイド孔又はガイド溝を有し、ラッチの上面及び下面に上下方向に突出する一対のガイドピンを有し、前記ラッチガイドケース内に前記ラッチは前記各ガイド孔又は前記各ガイド溝と前記各ガイドピンが係合されて嵌合配置される。
（２）ラッチガイドケースの後端側の開口にばね受けを有し、ラッチの後端面にばね受けを有し、前記ラッチガイドケースの前記ばね受けと前記ラッチの前記ばね受けとの間にばね部材としてコイルスプリングが介装される。
（３）ラッチガイドケースの一方の側面部にねじ挿通部を有し、ラッチの前記ラッチガイドケースの前記一方の側面部に対向する面に凹部を有し、止め金の先端に前記ラッチガイドケースのねじ挿通部に対応してねじ孔を穿設されて、前記止め金の先端は前記ラッチガイドケース内に挿入され、前記ラッチの凹部の後方延長上の位置で、前記ラッチガイドケースのねじ挿通部と前記止め金のねじ孔とを合せ、前記ラッチガイドケースのねじ挿通部から取付ねじを通し前記止め金のねじ孔に締結されて取り付けられる。
（４）ラッチガイドケースの一方の側面部に対して反対側の他方の側面部に前後方向に向けて延びるガイド孔を有し、前記ガイド孔を通じてラッチに操作つまみを備える。
【００１２】
また、上記目的を達成するために、本発明は、
ハンドルレバーの回転操作により扉側の止め金をボックス本体などの固定枠体側の受け金に対して係脱する平面ハンドル、Ｌ型ハンドルを含む止め金式の各種ハンドルであって、
前記止め金の受け金に対する係脱端となる先端に請求項１乃至５のいずれかに記載の止め金用ラッチユニットを備える、
ことを要旨とする。
【発明の効果】
【００１３】
本発明の止め金用ラッチユニットは、上記の構成により、ラッチがラッチガイドケース内にスライド可能に組み込まれ、ラッチとラッチガイドケースとの間にばね部材が介装されて、ラッチの先端部がラッチガイドケースの前端側の開口から出没可能になっており、止め金式の各種ハンドルの止め金の先端側の長さを調整し、また、選択的に止め金の先端側の奥行き方向の位置を各止め金の先端側の曲げ加工により調整し、その調整後の止め金の先端にラッチガイドケースを取り付けて、止め金の調整後の先端延長上にラッチを出没可能に配置するようにしたので、止め金式の各種ハンドルにおいて、ユーザーのニーズに応じて、止め金の先端にラッチ錠を簡単に後付けすることができる、という本発明独自の格別な効果を奏する。
【００１４】
また、本発明の各種ハンドルは、止め金の先端に上記止め金用ラッチユニットを備えることで、次のような顕著な効果を奏する。
（１）閉扉の際に、扉を押すだけで、ラッチがボックス本体側の固定枠体に当たってラッチケース内に没入し、扉が完全に閉まると、ラッチがラッチケースから突出して固定枠体側の受け金に自動的に係合させることができるので、扉を簡単かつ確実に閉めることができ、扉を完全に閉め切らないうちに、ハンドルレバーを閉める方向に回してしまうといった誤操作を防止することができる。
（２）上記（１）により扉が確実に閉められることから、各種ハンドルに錠前ユニットが付いている場合は、錠前ユニットで扉を確実に施錠することができ、また、錠前ユニットにオートロック機能が付いている場合は、オートロック機能付きの錠前ユニットで扉をより一層確実に施錠することができ、錠前ユニットが本来有する機能を有効に発揮し、錠前ユニットの利便性をより向上させることができる。
（３）上記（１）により扉が確実に閉められることから、各種ハンドルにインジケータが付いている場合は、錠前ユニットにより扉が確実に施錠されたことをインジケータにより目視で確認することができ、インジケータが本来有する機能を有効に発揮し、インジケータの利便性をより向上させることができる。
【図面の簡単な説明】
【００１５】
【図１】本発明の一実施の形態における止め金用ラッチユニットの構成を示す図（（ａ）は右面図（ｂ）は平面断面図）
【図２】同ラッチユニットの特にラッチガイドケースの構成を示す図（（ａ））は平面図（ｂ）は底面図（ｃ）は右側面図（ｄ）は左側面図（ｅ）は背面図（ｆ）は斜視図）
【図３】同ラッチユニットの特にラッチの構成を示す図（（ａ））は平面図（ｂ）は右側面図（ｃ）は背面図（ｄ）は斜視図）
【図４】同ラッチユニットを止め金に取り付ける際の止め金の長さ調整を示す図（（ａ）は長さ調整前の右側面図（ｂ）は長さ調整後の右側面図）
【図５】同ラッチユニットを止め金に取り付ける際の止め金の奥行き調整を示す図（一部断面平面図）
【図６】同ラッチユニットを平面ハンドル、Ｌ型ハンドルの止め金に適用した状態を示す図（正面図）
【図７】同ラッチユニットを平面ハンドルやＬ型ハンドルに適用した場合のその効果を示す図（平面断面図）
【図８】同ラッチユニットのラッチに取り付ける操作つまみを示す図（一部断面平面図）
【図９】一般の錠前ユニット付き平面ハンドルの構成を示す図（正面図）
【図１０】一般の錠前ユニット、インジケータ付きＬ型ハンドルの構成を示す図（正面図）
【発明を実施するための形態】
【００１６】
次に、この発明を実施するための形態について図を用いて説明する。
図１に止め金用ラッチユニットの全体構成を示し、図２及び図３にこの止め金用ラッチユニットの各部の構成を示している。
【００１７】
図１に示すように、止め金用ラッチユニットＬ（以下、単にラッチユニットＬという場合がある。）は、ハンドルレバーの回転操作により扉側の止め金をボックス本体などの固定枠体側の受け金に対して係脱する平面ハンドル、Ｌ型ハンドルを含む止め金式の各種ハンドルに使用するもので、ラッチガイドケース１と、ラッチ２と、ばね部材３とを備えて構成される。
なお、このラッチユニットＬはラッチ２がこのラッチユニットＬを適用する各種ハンドルの止め金（図４参照）の先端から所定の長さまでの先端部分の大きさに形成されて全体が構成される。
【００１８】
図２に示すように、ラッチガイドケース１は、各種ハンドルの止め金の受け金に対する係脱端となる先端側を挿通して止め金の先端側に取付可能に前後両端に開口１１、１２を有する略筒形形状に形成され、止め金の扉側に向けられる一方の側面に対応する略筒形形状の一方の側面部１０４を止め金の取付部１３とする。この場合、ラッチガイドケース１は上下方向に長い略角筒形状に形成され、前後の長い矩形状の上面部１０１及び下面部１０２、上下に長い矩形状の左右の側面部１０３、１０４からなり、前述の一方の側面部１０４は右側面部１０４で上下方向中間（この場合、略中央）が前端から後端まで切り欠かれてスリット１０５が設けられ、上下に２分割されている。そして、ラッチガイドケース１の一方の側面部１０４に取付ねじ挿通部１０６が設けられる。この場合、取付ねじ挿通部１０６はラッチガイドケース１の右側面部１０４の後端側でスリット１０５を挟んで上下に２つ形成される。
また、このラッチガイドケース１の上面部１０１及び下面部１０２にはそれぞれ、ラッチガイドケース１の前後方向に延びる一対のガイド孔１００を有する。この場合、各ガイド孔１００はラッチガイドケース１の上面部１０１及び下面部１０２の前後方向中央で幅方向中央よりも他方の側面部１０３に少し偏った位置に、前後方向に長い長孔状に形成される。
さらに、このラッチガイドケース１の後端側の開口１２にはばね受け１４を有する。この場合、ばね受け１４はラッチガイドケース１後端側の開口１２の他方の側面部１０３側縁部の上下方向中間（この場合、略中央）から開口１２上に断面略Ｌ字形に突出する板状に形成され、先端は半円形に形成され、開口１２に対向する内側の面にばね係止凸起１４１が設けられる。なお、このばね係止凸起１４１は開口１２の中心と略同芯上の位置にある。
【００１９】
図３に示すように、ラッチ２は、先端部２１を固定枠体側の受け金に当接可能な略三角柱形状にしてラッチガイドケース１内に嵌合可能に形成され、また、このラッチ２のラッチガイドケース１の一方の側面部１０４に対向する面、この場合、ラッチ２の右側面２２Ｒに凹部２２０を有する。この場合、ラッチ２は先端部２１側が水平断面略直角三角形で垂直断面上下方向に長い略矩形状の前部２１１とこの前部２１１の後方に連続する水平断面幅方向に長い略矩形状で垂直断面上下方向に長い略矩形状の後部２１２とからなり、幅方向及び高さ方向の寸法をラッチガイドケース１の幅方向及び高さ方向の内寸よりも僅かに小さくして形成され、先端部２１側の前部２１１の右側面２１１Ｒは直線的な平面に、左側面２１１Ｌは傾斜面に、先端部２１側の後部２１２の左右両側面２１２Ｒ、２１２Ｌは前部２１１の左右の両側面２１１Ｒ、２１１Ｌから連続して平行になっている。ラッチ２の後端部２２側は先端部２１側の後部２１２に対して一方の側面、この場合、右側面２２Ｒを後述する止め金４の幅よりも僅かに大きい凹状にして連続する水平断面前後に長い略矩形状で垂直断面上下方向に長い略矩形状に、高さ方向の寸法をラッチガイドケース１の高さ方向の内寸よりも僅かに小さくして形成され、後端部２２側の右側面２２Ｒは先端部２１側の右側面２１１Ｒ、２１２Ｒと平行の凹部２２０に、後端部２２側の左側面２２Ｌは先端部２１側の左側面２１２Ｌと面一に直線的に連続して後端部２２側の右側面２２Ｒと平行になっている。なお、先端部２１の（最）先端は角丸に形成される。
また、ラッチ２の上面２２Ｔ及び下面２２Ｂに上下方向に突出する一対のガイドピン２３を有する（図１参照）。この場合、ラッチ２の上面２２Ｔの後端側及び下面２２Ｂの後端側の間にシャフト挿通孔２３０を貫通して形成され、一対のガイドピン２３はラッチ２のシャフト挿通孔２３０にシャフト挿通孔２３０よりも少し長いシャフト２３１（図１参照）を通され、このシャフト２３１の上下端部がラッチガイドケース１の上面部１０１及び下面部１０２の各ガイド孔１００上でカシメられて形成される。
さらに、このラッチ２の後端面２４にはばね受け２５を有する。この場合、ばね受け２５はラッチ２の後端面２４の幅方向及び高さ方向の中間（この場合、中央）に円形の溝２５０が形成されてなる。
かくしてラッチ２はラッチガイドケース１内に各ガイドピン２３と各ガイド孔１００が係合されて嵌合され、ラッチ２の先端部２１がラッチガイドケース１の前端側の開口１１から出没可能にラッチガイドケース１内にスライド可能に配置される。
【００２０】
図１に示すように、ばね部材３は、ラッチガイドケース１とラッチ２との間に介設され、ラッチ２を常態としてラッチガイドケース１の前端側の開口１１方向に押圧付勢してラッチ２の先端部２１をラッチガイドケース１の前端側の開口１１から突出させる。この場合、ばね部材３にコイルスプリングが採用される。コイルスプリング３は一端がラッチガイドケース１のばね受け１４のばね係止凸起１４１に係合され、他端がラッチ２のばね受け２５の溝２５０に係合されて、ラッチガイドケース１のばね受け１４とラッチ２のばね受け２５との間に圧縮して介装される。
【００２１】
このようにして止め金用ラッチユニットＬは、ユーザーの必要に応じて、平面ハンドル、Ｌ型ハンドルを含む止め金式の各種ハンドルの止め金の先端に取り付けられて、止め金の先端にラッチ錠を構成する。
このラッチユニットＬを止め金に取り付ける場合、まず、止め金の先端側の長さを調整し、また、選択的に止め金の先端側の奥行き方向の位置を止め金の先端側の曲げ加工により調整する。この場合、図４に示すように、止め金４の先端から所定の長さまでをカットして先端側の長さを調整し、この調整後の先端にラッチガイドケース１の２つのねじ挿通部１０６に対応してねじ孔４０を２つ穿設する。また併せて、止め金４の先端側の奥行き方向の位置を調整する場合は、図５に示すように、止め金４の先端側を奥行き分の寸法を確保した上で必要な長さにカットし又はカットしないで、止め金４の先端に穿つねじ孔４０の後方奥行き分の長さの位置で止め金４を奥行き方向へ曲げ加工して全体を略Ｚ形に形成する。
そして、この調整後の止め金４の先端にラッチガイドケース１を取り付ける。この場合、図１に示すように、止め金４の先端をラッチガイドケース１内に後端側の開口１２から挿入して、ラッチ２の凹部２２０の後方延長上の位置で、ラッチガイドケース１の２つのねじ挿通部１０６（図２参照）とラッチ２の２つのねじ孔４０（図３参照）とを合せて、２本の取付ねじ４１をラッチガイドケース１の各ねじ挿通部１０６に通し止め金４の各ねじ孔４０に締結して取り付け、止め金４の調整後の先端延長上にラッチ２を出没可能に配置する。
かくして止め金４の先端にラッチ錠が付装される。
【００２２】
図６（ａ）、（ｂ）にこのラッチユニットＬを本明細書の背景技術の欄で例示した特許文献１の平面ハンドル、特許文献４のＬ型ハンドルに適用した場合を示している。なお、特許文献２、３の平面ハンドルでも同様である。
図６（ａ）、（ｂ）に示すように、これら平面ハンドル、Ｌ型ハンドルの止め金４に、ラッチユニットＬを上記のとおりに取り付けて、止め金４の先端にラッチ錠を付装する。このように止め金４の先端にこのラッチユニットＬを取り付けたことで、これらのハンドルは既に説明したとおりの本来の使い方（段落０００３、段落０００６参照）に加えて、ラッチ錠のように、閉扉の際に、扉を押すだけでよく、ラッチ式の利便性が活かされる。すなわち、図７に示すように、閉扉の際に、扉Ｄを押すと、ラッチ２の先端部２１の傾斜面がボックス本体Ｂ側の固定枠体Ｆに当たり、ラッチ２が扉Ｄの固定枠体Ｆの正面部ｆ１、開口内側面部ｆ２に押されて、ラッチガイドケース１の各ガイド孔１００とラッチ２の各ガイドピン２３との係合案内により、ラッチガイドケース１内に真直ぐにコイルスプリング３を圧縮しつつ没入し、扉Ｄが完全に閉まると同時に、ラッチ２がコイルスプリング３の付勢力によりラッチガイドケース１から突出して固定枠体Ｆの背面部ｆ３側の受け金（図示省略）に自動的に係合される。なお、このラッチガイドケース１内でのラッチ２の前後方向のスライドに際して、ラッチ２右側面２２Ｒの凹部２２０により、止め金４の先端がラッチ２に干渉することはない。このような扉の押操作が可能となることで、扉Ｄを閉める際はハンドルレバー５２、６１を回す必要がなく、扉Ｄが完全に閉め切らないうちに、ハンドルレバー５２、６１を閉める方向に回してしまうといった誤操作をなくし、又はそれを著しく減少させることが可能となる。平面ハンドル、Ｌ型ハンドルの本来のデザイン性、スイング式の操作性の良さはそのままに、ラッチ式による閉扉時の利便性がさらに付与される。
その効果はこれだけに止まらない。錠前付きの平面ハンドル、Ｌ型ハンドルの場合は、止め金４先端のラッチ２により扉Ｄが簡単かつ確実に閉められることから、錠前ユニット５３、６３で扉Ｄを確実に施錠することができ、また、錠前ユニット５３、６３にオートロック機能が付いていれば、錠前ユニット５３、６３を施錠したまま扉Ｄを閉めることができるので、施錠ユニット５３、６３を方抜けにしておき、ハンドル操作後施錠すれば、閉扉時はワンタッチでロックできて利便性が高められ、施錠忘れ防止が強化されるなど、錠前ユニット５３、６３本来の機能が有効となる。また、インジケータ６４付きの平面ハンドル、Ｌ型ハンドルの場合、止め金４先端のラッチ２により扉Ｄが簡単かつ確実に閉められることから、インジケータ６４には扉Ｄが錠前ユニット５３、６３により確実に施錠されたことが表示されて、インジケータ６４本来の機能が有効となる。
【００２３】
また、このラッチユニットＬはラッチ２がスライド式になっていることで、ラッチ２を手動でスライドさせることができ、人が出入りするようなボックスの場合で、ボックス内に人が閉じ込められたときでも、ボックス内部からの止め金４の解除が可能であり、ボックス内部からの脱出が可能となる。
この場合、図８に示すように、ラッチガイドケース１の一方の側面部（右側面部）１０４に対して反対側の他方の側面部（左側面部）１０３に前後方向に向けて延びるガイド孔１５が形成され、このガイド孔１５を通じてラッチ２に操作つまみ２６を備えることが望ましい。このようにすると、この操作つまみ２６が目立ち、閉じ込めの非常時に、操作つまみ２６によるラッチ２の解除が認識しやすくなり、また、その操作の際に、操作つまみ２６を指先でつまめばラッチ２をラッチガイドケース１に向けて引きやすくなり、ラッチ２を容易にスライドさせてラッチ２の先端部２１をボックス内部の受け金から確実に離脱させることができる。また、このとき錠前ユニットが施錠状態であっても、ラッチ２のみが独立してスライドするので、この内部解除が可能である。また、止め金式の各種ハンドルでは、本来、内部解除機構を設けようとすると、多くの部品が必要で、構造が複雑になるために、コストアップが避けられない状況にあるが、このラッチユニットＬにより、内部解除機構を簡易に備えることができる。
【００２４】
以上説明したように、この止め金用ラッチユニットＬは、ラッチ２がラッチガイドケース１内にスライド可能に組み込まれ、ラッチ２とラッチガイドケース１との間にばね部材３が介装されて、ラッチ２の先端部２１がラッチガイドケース１の前端側の開口１１から出没可能になっており、止め金式の各種ハンドルの止め金４の先端側の長さを調整し、また、選択的に止め金４の先端側の奥行き方向の位置を止め金４の先端側の曲げ加工により調整し、その調整後の止め金４の先端にラッチガイドケース１を取り付けて、止め金４の調整後の先端延長上にラッチ２を出没可能に配置するようにしたので、止め金式の各種ハンドルにおいて、ユーザーのニーズに応じて、止め金４の先端にラッチ錠を簡単に後付けすることができる。
【００２５】
また、この止め金用ラッチユニットＬでは、さらに次のような顕著な利点を有する。
（１）ラッチガイドケース１の上面部１０１及び下面部１０２にラッチガイドケース１の前後方向に延びる一対のガイド孔１００を有し、ラッチ２の上面２２Ｔ及び下面２２Ｂに上下方向に突出する一対のガイドピン２３を有し、ラッチガイドケース１内にラッチ２は各ガイド孔１００と各ガイドピン２３が係合されて嵌合配置されるので、ラッチ２をラッチガイドケース１内で各ガイド孔１００と各ガイドピン２３との係合案内により前後方向に確実にスライドさせて、ラッチ２の先端部２１をラッチガイドケース１の前端側の開口１１から確実に出没させることができる。
（２）ラッチガイドケース１の後端側の開口１２にばね受け１４を有し、ラッチ２の後端面２４にばね受け２５を有し、ラッチガイドケース１のばね受け１４とラッチ２のばね受け２５との間にばね部材３としてコイルスプリングが介装されるので、ラッチ２をラッチガイドケース１の前端側の開口１１で確実に出没させることができる。
（３）ラッチガイドケース１の一方の側面部１０４にねじ挿通部１０６を有し、ラッチ２のラッチガイドケース１の一方の側面部１０４に対向する面に凹部２２０を有し、止め金４の先端にラッチガイドケース１のねじ挿通部１０６に対応してねじ孔４０を穿設されて、止め金４の先端はラッチガイドケース１内に挿入され、ラッチ２の凹部２２０の後方延長上の位置で、ラッチガイドケース１のねじ挿通部１０６と止め金４のねじ孔４０とを合せ、ラッチガイドケース１のねじ挿通部１０６から取付ねじ４１を通し止め金４のねじ孔４０に締結されて取り付けられるので、このラッチユニットＬを止め金４の先端に簡単に取り付けることができる。
（４）ラッチガイドケース１の一方の側面部１０４に対して反対側の他方の側面部１０３に前後方向に向けて延びるガイド孔１５を有し、このガイド孔１５を通じてラッチ２に操作つまみ２６を備えることで、人が出入りするようなボックスの場合に、ボックス内に人が閉じ込められたときでも、ラッチ式の止め金４になっていることが認識しやすく、操作つまみ２６を使って、ボックス内部での止め金４の解除を容易に行うことができ、ボックス内部から確実に脱出することができる。
【００２６】
また、平面ハンドルやＬ型ハンドルなどの止め金式の各種ハンドルにおいて、止め金４の先端に止め金用ラッチユニットＬを備えることで、次のような顕著な効果を奏する。
止め金式の各種ハンドルでも、閉扉の際は、扉を押せば、ラッチ２がボックス本体側Ｂの固定枠体Ｆに当たってラッチガイドケース１内に没入し、扉が完全に閉まると、ラッチ２がラッチガイドケース１から突出して固定枠体側Ｆの受け金に自動的に係合されるので、扉を押すだけの簡単な操作で確実に閉めることができ、扉を完全に閉め切らないうちに、ハンドルレバーを閉める方向に回してしまうといった誤操作を防止することができる。
これにより、止め金４先端のラッチ２により扉は確実に閉められることから、各種ハンドルに錠前ユニットが付いている場合は、錠前ユニットで、閉められた扉を確実に施錠することができ、錠前ユニットにオートロック機能が付いている場合は、錠前ユニットで閉められた扉をより一層確実に施錠することができる。したがって、錠前ユニットが本来有する機能を有効に発揮し、錠前ユニットの利便性をより向上させることができる。また、各種ハンドルにインジケータが付いている場合は、インジケータにより錠前ユニットで扉が確実に施錠されたことを目視することができる。したがって、インジケータが本来有する機能を有効に発揮し、インジケータの利便性をより向上させることができる。
さらに、このラッチユニットＬはラッチ２がスライド式になっていることで、ラッチ２を手動でスライドさせることができ、人が出入りするようなボックスの場合に、ボックス内に人が閉じ込められたときでも、ボックス内部で止め金４を容易に解除することができる。この場合、既述のとおり、ラッチガイドケース１の一方の側面部１０４に対して反対側の他方の側面部１０３に前後方向に向けて延びるガイド孔１５が形成され、このガイド孔１５を通じてラッチ２に操作つまみ２６を備えることで、閉じ込めの非常時に、この操作つまみ２６が目立ち、操作つまみ２６によりラッチ２を解除できることが認識しやすくなり、また、その操作の際に、操作つまみ２６を使ってラッチ２をラッチガイドケース１側に引きやすくなり、ラッチ２を容易にスライドさせてラッチ２の先端部２１をボックス内部の受け金から確実に離脱させることができる。
【００２７】
なお、この実施の形態では、ラッチガイドケース１の上面部１０１及び下面部１０２にラッチガイドケース１の前後方向に延びる一対のガイド孔１００を有し、ラッチ２の上面２２Ｔ及び下面２２Ｂに上下方向に突出する一対のガイドピン２３を有し、ラッチガイドケース１内にラッチ２は各ガイド孔１００と各ガイドピン２３が係合されて嵌合配置されるものとしたが、一対のガイド孔１００に代えて、ラッチガイドケース１の上面部１０１の内面及び下面部１０２の内面に一対のガイド溝を設けて、ラッチの各ガイドピンと係合させてもよい。
このようにしてもこの実施の形態と同様の作用効果を得ることができる。
【００２８】
また、この実施の形態では、ラッチユニットＬを平面ハンドル、Ｌ型ハンドルに適用した場合を例示したが、これらのハンドル以外でも、この種の止め金式のハンドルであれば同様に適用でき、同様の作用効果を得ることができることは勿論である。
【符号の説明】
【００２９】
Ｌ  止め金用ラッチユニット
１  ラッチガイドケース
１００  ガイド孔
１０１  上面部
１０２  下面部
１０３  左側面部（他方の側面部）
１０４  右側面部（一方の側面部）
１０５  スリット
１０６  ねじ挿通部
１１  前端側の開口
１２  後端側の開口
１３  止め金の取付部
１４  ばね受け
１４１  ばね係止凸起
１５  ガイド孔
２  ラッチ
２１  先端部
２１１  前部
２１１Ｒ  右側面
２１１Ｌ  左側面
２１２  後部
２１２Ｒ  右側面
２１２Ｌ  左側面
２２  後端部
２２Ｒ  右側面
２２０  凹部
２２Ｌ  左側面
２２Ｔ  上面
２２Ｂ  下面
２３  ガイドピン
２３０  シャフト挿通孔
２３１  シャフト
２４  後端面
２５  ばね受け
２５０  溝
２６  操作つまみ
３  ばね部材（コイルスプリング）
４  止め金
４０  ねじ孔
４１  取付ねじ
Ｄ  扉
Ｂ  ボックス本体
Ｆ  固定枠体
ｆ１  正面部
ｆ２  開口内側面部
ｆ３  背面部
【図１】
2018193829.tif 000003
【図２】
2018193829.tif 000004
【図３】
2018193829.tif 000005
【図４】
2018193829.tif 000006
【図５】
2018193829.tif 000007
【図６】
2018193829.tif 000008
【図７】
2018193829.tif 000009
【図８】
2018193829.tif 000010
【図９】
2018193829.tif 000011
【図１０】
2018193829.tif 000012